(57)【要約】【課題】  いつでも、また、どこででも適用することができ、かつ、打設コンクリートの荷重を確実に受け止め、梁底のとおりを出すことが容易にできるようにするとともに、小型、軽量で、扱いやすく、作業者の負担にならない壁付き梁用型枠の支保装置を提供する。【解決手段】  壁付き梁の壁よりも出ている箇所の変形を防ぐことを目的として、壁の上部に位置する梁用型枠を支持するための壁付き梁用型枠の支保装置１０であって、壁用型枠Ｃに設けられている桟木Ｄ又はパイプＰに上から掛け止められる、少なくとも1個の係止部１５を側面に有する本体１１と、本体１１にねじ結合して上下動可能に設けられ、本体１１より上方に突出する上端に、梁用型枠Ａを支える支持板１７を有し、本体１１より下方に突出する下端に、回転操作のためのレンチなどの工具Ｗと係合する係合部２０を有するねじ桿１２とから成る構成を有する装置。【選択図】          図１
0003120107.tif 000002
【実用新案登録請求の範囲】
【請求項１】
壁付き梁の壁よりも出ている箇所の変形を防ぐことを目的として、壁の上部に位置する梁用型枠を支持するための装置であって、壁用型枠に設けられている横桟に上から掛け止められる、少なくとも１個の係止部を側面に有する本体と、本体にねじ結合して上下動可能に設けられ、本体より上方に突出する上端に、梁用型枠を支える支持板を有し、本体より下方に突出する下端に、回転操作のためのレンチなどと係合する係合部を有するねじ桿とから成ることを特徴とする壁付き梁用型枠の支保装置。
【請求項２】
係止部は、横桟の断面形状と一致した断面形状の曲がり部を有しており、かつ、本体の上下に位置及び向きを異ならせて設けられている請求項１記載の壁付き梁用型枠の支保装
置。
【請求項３】
本体は、ねじ桿を内部に通した筒状を有しており、ねじ桿の雄ねじ部と螺合する雌ねじ部を適所に有している請求項１記載の壁付き梁用型枠の支保装置。
【考案の詳細な説明】
【技術分野】
【０００１】
本考案は、壁付き梁の壁よりも出ている箇所の変形を防ぐことを目的として、壁の上部に位置する梁用型枠を支持するための壁付き梁用型枠の支保装置に関するものである。
【背景技術】
【０００２】
例えば、間仕切壁の上部に位置する梁では、壁よりも梁が出ているために、型枠だけでは打設したコンクリートの自重に耐えられず、いわゆる通りを出すことができない状況にあるため、適切な荷重負担対策を講じてやる必要がある。このため、従来は、図７に示すように、梁用型枠Ａと壁用型枠Ｃの上部との間に、適当な桟木Ｄを介在させることが行われた。しかしそれでは梁Ｂの荷重を負担し切れず、コンクリートを打つと垂れ下がるのを完全に防ぐことができない。またこのような桟木では、階高が異なる箇所では交換する必要があり、繰り返し使用することも期待できないという問題があった。
【０００３】
これに対し、従来行われた技術には、図７に符号Ｓで示したのと同様の構造を持つサポート部材を下からあてがい、梁用型枠Ａを補強するものがある。しかしそのサポート部材は、床から梁底までの長さを持つ大きなものであることを必要とする。必然的に重量も重くなり、何本も振り回すようにして次々と付け外しを行うようには出来ていないため、作業性が大変良くないと云う問題を生じた。
【０００４】
さらに、先行資料には、特開平５−１５６８０９号にサポートとして記載されたものや、実開平７−３８４３８号に控え金具として記載されたものがある。しかし、これらのものを使用する場合、前者についてはサポートの支持具の型枠への取り付けを必要とし、後者については控え金具の型枠への掛け止めが必要である。従って、これらの技術は、いつでも、また、どこにでも適用できるというものではない。
【０００５】
【特許文献１】特開平５−１５６８０９号
【特許文献２】実開平７−３８４３８号
【考案の開示】
【考案が解決しようとする課題】
【０００６】
本考案は以上の点に着目して成されたもので、その課題は、いつでも、また、どこででも適用することができ、かつ、打設コンクリートの荷重を確実に受け止め、梁底のとおりを出すことが容易にできるようにすることである。また、本考案の他の課題は、小型、軽量で、扱いやすく、作業者の負担にならない壁付き梁用型枠の支保装置を提供することである。
【課題を解決するための手段】
【０００７】
前記の課題を解決するため本考案は、壁付き梁の壁よりも出ている箇所の変形を防ぐことを目的として、壁の上部に位置する梁用型枠を支持するための壁付き梁用型枠の支保装置について、壁用型枠に設けられている横桟に上から掛け止められる、少なくとも１個の係止部を側面に有する本体と、本体とねじ結合により上下動可能に設けられ、本体より上方に突出する上端に、梁用型枠を支える支持板を有し、本体より下方に突出する下端に、回転操作のためのレンチなどと係合する係合部を有するねじ桿とから構成する、という手段を講じたものである。
【０００８】
本考案に係る壁付き梁用型枠の支保装置は、壁の上部に位置する梁用型枠を下から支えて、壁付き梁の壁よりも出ている箇所の、垂れ下がりに代表される変形を防止するものであり、これによって、壁つき梁などの梁底に、いわゆる通りを出すことができる。この場合、水平を出すというのとほぼ同じ意味になるが、垂れ下がりを防ぐことは、梁の側面に引けが生じるのを防ぐことにもなるので、梁底及びその周辺の成形表面の仕上がり状況を著しく向上することにつながる。
【０００９】
本考案に係る壁付き梁用型枠の支保装置は、本体と、ねじ桿とから構成されている。本体はねじ桿を内部に挿し通して、本体とねじ結合し、それにより上下動可能に設けられるものである。ねじ桿の上下動は、階高が異なる箇所などでの本装置の使用を可能にする、伸縮調節手段である。このため、本体は、ねじ桿を内部に通した筒状を有しており、ねじ桿の雄ねじ部と螺合する雌ねじ部を適所に有していることが望ましい。雌ねじ部は、本体の一部、又は全体に設けることができる。
【００１０】
本考案における本体は、本考案の装置を壁用型枠に取り付けるための機能をも有している。すなわち、壁用型枠に設けられている横桟に上から掛け止める、少なくとも１個の係止部は、本考案の装置を横壁用型枠に取り付けるための手段である。この係止部は、本体の側面に設けられ、ねじ桿の上端部で梁用型枠を加圧する際に、その反力を受け支え、横桟を、その上方から下方へ押すことになる。
【００１１】
このような係止部は、横桟の断面形状と一致した断面形状の曲がり部を有しており、かつ、本体の上下に位置及び向きを異ならせて設けられていることが望ましい。例えば、角材を用いる横桟に対しては、四角い断面形状の曲がり部を有する係止部とし（図１参照）、鉄管などを用いるパイプから成る横桟に対しては、丸い断面形状の曲がり部を有する係止部とする（図３参照）。
【００１２】
一方、本考案におけるねじ桿は、本体とねじ結合して上下動可能に設けられていることに加えて、本体より上方に突出する上端に、梁用型枠を支える支持板を有し、本体より下方に突出する下端に、回転操作のためのレンチ又はその他の工具などと係合する係合部を有している。支持板は、梁用型枠に下から当接し、支えるために、ねじ桿に対して回転可能になっていることが望まれる。
【００１３】
また、ねじ桿の下端の係合部は、ねじ桿を回転駆動するための入力手段である。入力は手動又は動力のどちらでも良い。このような係合部は、ねじ桿の直径よりも大きいねじ頭のような凸状であっても良いし、或いはねじ桿の直径よりも小さい凹状の部分であっても良い。このような係合部を有することにより、例えば、インパクトレンチなどの動力機械による作業が可能になり、作業性を著しく向上することができる。
【考案の効果】
【００１４】
本考案は上記のように構成されかつ作用するものであるから、壁付き梁用型枠の支保装置を、いつでも、また、どこにでも適用することができ、かつ、打設コンクリートの荷重を確実に受け止め、梁底の通りを出すことが容易にできるようにすることができるという効果を奏する。また、本考案によれば、小型、軽量で、扱いやすく、作業者の負担にならない壁付き梁用型枠の支保装置を提供することができる。
【考案を実施するための最良の形態】
【００１５】
以下図示の実施形態を参照して、本考案をより詳細に説明する。図１は、本考案に係る壁付き梁用型枠の支保装置１０の例１を示すもので、本装置１０は、本体１１と、ねじ桿１２とから構成されている。本体１１は、ねじ桿１２を内部に挿し通し可能な、角筒状を有する縦長の部材から成り、ねじ桿１２の雄ねじ部１３と螺合する雌ねじ部１４として、ナットが、本体１１の内部の上下端部に緩くしかし回転しないように取り付けられている（図１Ｂ）。
【００１６】
本体１１とねじ桿１２がねじ結合し、それにより上下動可能に設けた構成は、例えば階高が異なる箇所などでの本装置１０の使用を可能にする、伸縮調節手段として機能する。雌ねじ部１４を上下２箇所に設けることにより螺合が安定し、ナットを緩く取り付けることによりねじの螺合に余裕を持たせることができる。
【００１７】
例１における本体１１は、本考案の装置１０を壁用型枠Ｃに取り付けるために、壁用型枠Ｃに設けられている角パイプ状の横桟Ｒに上から掛け止める、１個の係止部１５を有している。この係止部１５は、本考案の装置１０を壁用型枠Ｃに取り付けるための手段であり、本体１１の側面に設けられ、ねじ１２の上端部で梁用型枠Ｂを加圧する際に生じる反力を受け支え、横桟Ｒに伝えるものである。このため、横桟Ｒの断面形状と一致したほぼコの字型断面形状の曲がり部１６を有している。
【００１８】
一方、本体１１とねじ結合により上下動可能に設けられている、本考案におけるねじ桿１２は、本体１１より上方に突出する上端に、梁用型枠Ｂを支える支持板１７を有している。支持板１７は、ねじ桿１２の上端の軸受け部１８に回転可能に取り付けられ、かつ、軸受け部１８には支持板１７に対してねじ桿１２を直角に保つ、はかま部１９が設けられている。
【００１９】
また、ねじ桿１２は、その下端に、本体１１より下方に突出する回転操作のためのレンチなどの工具や、そのビットと係合する係合部２０を有している。係合部２０は、ねじ桿１２を回転駆動するための入力手段であり、例１の係合部２０は、ねじ桿１２の直径よりも大きいねじ頭のような凸状のものである。入力は手動又は動力のどちらでも可能である。係合部２０は、ねじ桿１２の直径よりも小さい凹状の部分よっても代替可能である。
【００２０】
図２は本考案の例２を示しており、２箇所の係止部２５−１、２５−２が、抵触を避けるように、本体１１の上下に位置及び向きを異ならせて設けられていることを特徴とする。これにより、横桟Ｒに２箇所で位置合わせ可能となるので、ねじ桿１２の操作量が少なくて済む。例２の装置１０は、また、支持板１７の中心部に凹部２１を型成形によって形成し、その中にねじ桿１２の上端部を取り付けるナット２２、２３の一方を収めている。他の構成は例１と同じで良いので、符号を援用し、詳細な説明を省略する。
【００２１】
図３は本考案の例３を示しており、横桟であるパイプＰの断面形状である円形に形成された曲がり部３６を有する２箇所の係止部３５−１、３５−２を、位置及び向きを変えて本体１１に設けている。他の構成は、既に説明した例１又は例２のものと同じであるので、符号を援用し、詳細な説明を省略する。図２、図３の例のものでは、支持板１７にねじ桿１２を囲むはかま部１９を設けていないが、例１と同様に設けても良い（図４、図５参照）。
【００２２】
本考案に係る装置１０は、図４又は図５のようにして、取り付けられる。すなわち、図４では、壁用型枠Ｃの桟木Ｒに、２箇所の係止部２５−１、２５−２のうちの適切な方２５−１を掛け止めて取り付けている。ここでは、他方の係止部２５−２も別の桟木に掛け止めて取り付けている。また、図５では、壁用型枠ＣのパイプＰに、２箇所の係止部３５−１、３５−２のうちの適切な方３５−１を掛け止めて取り付けており、他方の係止部３５−２も別の横桟に掛け止めて取り付けている。図中Ｖは縦桟木、Ｆはフォームタイを示す。
【００２３】
本考案に係る装置１０の使用状態については、例１のものを使用する形で、図６と、図７の右半分に図示してある。本考案に係る装置１０は、図３又は図５のようにして、壁用型枠Ｃに取り付けられ、その際に、インパクトレンチＷを用いて、係合部２０を回転操作し、上端の支持板１７を梁用型枠Ａの下端に押し当て、支持している。これによって、梁底型枠ＢＢは本来の一直線状を維持し、従って、梁底の通りを出すことができる。
【図面の簡単な説明】
【００２４】
【図１】本考案に係る壁付き梁用型枠の支保装置の例１を示すもので、Ａはその正面図、Ｂはその本体の端部拡大図。
【図２】本考案に係る装置の例２を示す正面図。
【図３】本考案に係る装置の例３を示す正面図。
【図４】本考案に係る装置の取り付け例１を示す側面図。
【図５】本考案に係る装置の取り付け例２を示す側面図。
【図６】本考案に係る装置の適用例を示す側面説明図。
【図７】本考案に係る装置の適用例を右半分に、従来例を左半分に示す説明図。
【符号の説明】
【００２５】
１０  壁付き梁用型枠の支保装置
１１  本体
１２  ねじ桿
１３  雄ねじ部
１４  雌ねじ部
１５、２５−１、２５−２、３５−１、３５−２  係止部
１６、２６、３６  曲がり部
１７  支持板
１８  軸受け部
１９  はかま部
２０  係合部
２１  凹部
２２、２３  ナット
【図１】
0003120107.tif 000003
【図２】
0003120107.tif 000004
【図３】
0003120107.tif 000005
【図４】
0003120107.tif 000006
【図５】
0003120107.tif 000007
【図６】
0003120107.tif 000008
【図７】
0003120107.tif 000009